(57)【特許請求の範囲】
【請求項１】
基礎に植設されてナットを螺装する螺条部を上方に延在させるアンカーボルトと、柱体の下端に連設されながらアンカーボルトの螺条部を貫通させるベースプレートとを有してなる柱体における基礎への連結部分にあって、アンカーボルトと同軸に形成されながら下端部がアンカーボルトの螺条部に連結されて上端側がアンカーボルトの軸線方向に延在される延長ロッドと、この延長ロッドの上端側を貫通させながらこの延長ロッドの上端側に連繋されるセンターホールジャッキとを有しなる建て入れ調整装置において、ベースプレート上に載置されながらセンターホールジャッキを上端に載置させるブロックを有してなり、このブロックがセンターホールジャッキに連繋される延長ロッドを軸芯部に挿通させながら下端部の内側にアンカーボルトに螺装のナットに連繋するナット回しを有してなることを特徴とする建て入れ調整装置。
【請求項２】
ナット回しがブロックの外部からのナットの径方向への導入による工具の連繋を可能にしてなると共に、ブロックがナット回しに連繋された工具のナットの回転方向への揺動を許容してなる請求項１に記載の建て入れ調整装置。
【請求項３】
センターホールジャッキがネジジャッキ構造下に移動するピストンの前進時に油圧作用によって延長ロッドを引き上げると共に、ピストンが工具を利用する手動操作によって移動可能とされてなる請求項１に記載の建て入れ調整装置。
【発明の詳細な説明】
【技術分野】
【０００１】
この発明は、建て入れ調整装置に関し、特に、フーチンなどの基礎上に最下段となる柱体を立設する際に利用する建て入れ調整装置の改良に関する。
【背景技術】
【０００２】
たとえば、構築物を構成する柱体を立設する際に利用する建て入れ調整装置としては、従来から種々の提案があるが、その中で、特許文献１に開示されている建て入れ調整装置は、フーチンなどの基礎上に最下段となる鋼鉄製の柱体を立設する際に利用するものとして提案されている。
【０００３】
すなわち、この特許文献１に開示の建て入れ調整装置は、最下段となる鉄骨製の柱体の下端に一体に連設されている平板状のベースプレートにおける水平度を調整することで、このベースプレートに立設されている鉄骨製の柱体が設定通りに、すなわち、設計図通りに立設されるようにするとしている。
【０００４】
このとき、この特許文献１に開示の建て入れ調整装置にあっては、ベースプレートに連結されるフレームと、このフレームに連繋されながら専用のアンカーボルトに連結されるアンカー把持具と、このアンカー把持具及びフレームに連繋されるジャッキとを有してなるとし、ベースプレートに定着されたフレーム上で専用のアンカーボルトを反力の支点にしてジャッキを駆動させることで、ベースプレートをフーチンなどの基礎に対して昇降させるとしている。
【０００５】
それゆえ、この特許文献１に開示の提案にあっては、ベースプレートをフーチンなどの基礎に定着させるためのアンカーボルトを利用することなく、すなわち、アンカーボルトに対してベースプレートを自由に昇降できる状況に維持したままベースプレートの水平度を調整し得ることになる。
【特許文献１】特開２００５‐１６０７３号公報（特許請求の範囲  請求項１，請求項２，請求項３，段落００１８，同００２０，同００２１，同００２２，同００２６，図１，図２）
【発明の開示】
【発明が解決しようとする課題】
【０００６】
しかしながら、上記した特許文献１に開示の建て入れ調整装置にあっては、柱体の建て入れ、すなわち、設計図通りに柱体を立設すること自体について特別に問題がある訳ではないが、その利用に際していわゆる仮設費が嵩む危惧があると指摘される可能性がある。
【０００７】
すなわち、上記の建て入れ調整装置にあっては、ベースプレートをフーチンなどの基礎に定着させるためにあらかじめこのフーチンなどの基礎に植設されているアンカーボルトを利用せず、冶具アンカーボルトと称して建て入れ調整装置を利用する上での専用のアンカーボルトを別途設けるとしている。
【０００８】
それゆえ、上記の建て入れ調整装置にあっては、専用のアンカーボルトを設ける分仮設費が嵩むことになり、延いては、構築物を構築するための建設費を増額させることが危惧されることになる。
【０００９】
のみならず、上記の建て入れ調整装置にあっては、フレームをベースプレートに固定的に連結するとしているから、その作業が必須になるのはもちろんのこと、爾後のベースプレートからのフレームの撤去作業までも必須になり、その分上記と同様に仮設費を増額させることが危惧されることになる。
【００１０】
この発明は、上記した現状を鑑みて創案されたものであって、その目的とするところは、最下段に立設される柱体における建て入れ調整を可能にするのはもちろんのこと、その際の作業性を良くし、その汎用性の向上を期待するのに最適となる建て入れ調整装置を提供することである。
【課題を解決するための手段】
【００１１】
上記した目的を達成するために、この発明による建て入れ調整装置の構成を、基本的には、基礎に植設されてナットを螺装する螺条部を上方に延在させるアンカーボルトと、柱体の下端に連設されながらアンカーボルトの螺条部を貫通させるベースプレートとを有してなる柱体における基礎への連結部分にあって、アンカーボルトと同軸に形成されながら下端部がアンカーボルトの螺条部に連結されて上端側がアンカーボルトの軸線方向に延在される延長ロッドと、この延長ロッドの上端側を貫通させながらこの延長ロッドの上端側に連繋されるセンターホールジャッキとを有しなる建て入れ調整装置において、ベースプレート上に載置されながらセンターホールジャッキを上端に載置させるブロックを有してなり、このブロックがセンターホールジャッキに連繋される延長ロッドを軸芯部に挿通させながら下端部の内側にアンカーボルトに螺装のナットに連繋するナット回しを有してなるとする。
【発明の効果】
【００１２】
それゆえ、この発明にあって、建て入れ調整装置は、センターホールジャッキの駆動時にアンカーボルトを反力の支点にしてこのアンカーボルトを貫通させるベースプレートを下降させるように機能し、ベースプレートに立設される柱体における建て入れ調整を可能にするが、このとき、建て入れ調整装置を構成する部材たるブロックがベースプレート上に載置されるのみとされ、また、センターホールジャッキもブロックの上端に載置されるのみとされるから、建て入れ調整装置を構成する部材がベースプレートに固定的に連結される場合に比較して作業者によるこの建て入れ調整装置の設置作業や撤去作業を簡単にし、いわゆる仮設費の増大を回避し得ることになる。
【００１３】
また、この発明による建て入れ調整装置にあっては、柱体の建て入れ調整をするために別途に専用のアンカーボルトを要するとしないから、この点からもいわゆる仮設費の増大を回避し得る事になる。
【００１４】
そして、この発明による建て入れ調整装置あっては、ブロック内に収装のナット回しがブロックの外部からの工具の連繋を可能にし、また、センターホールジャッキが工具を利用する手動操作によって駆動を可能にすることで、建て入れ調整装置自体の構成を簡素にすることが可能になり、製品コストのいたずらな増大化を回避することが可能になる。
【００１５】
その結果、この発明によれば、鉄骨製の柱体における建て入れ調整を可能にするについて作業性を良くし、その汎用性の向上を期待するのに最適となる。
【発明を実施するための最良の形態】
【００１６】
以下に、図示した実施形態に基づいて、この発明を説明するが、この発明による建て入れ調整装置は、図１に示すように、フーチンなどの基礎１上に最下段となる柱体２を設計図通りに立設するときに、すなわち、柱体２を建て込む際に利用するもので、このとき、柱体２における基礎１への連結部分は、アンカーボルト１１とベースプレート２１とを有してなる。
【００１７】
そこで、この連結部分について少し説明すると、アンカーボルト１１は、図示しない下端側が基礎１中に埋設されて上方側となる螺条部１１ａを上方に延在させながらこの螺条部１１ａにナット３を螺装させてなるとしている。
【００１８】
そして、このアンカーボルト１１は、最下段の柱体２の下端に連設されたベースプレート２１のいわゆる四隅部（図示せず）を上下方向に貫通するとしており、このとき、ベースプレート２１は、基礎１上にほぼ半球状などに形成されて饅頭あるいは団子などと称される盛り上り１２における頂部をその中央下面に当接させていて、この頂部を支点にして揺動し得るように設定されている。
【００１９】
また、ベースプレート２１は、多くの場合に平板状に形成されながら四隅部などに上下方向に肉厚を貫通するようにして開穿された孔２１ａを有していて、この孔２１ａに上記のアンカーボルト１１の螺条部１１ａを挿通させてなるとしている。
【００２０】
そして、ナット３は、上記のベースプレート２１に開穿の孔２１ａを挿通した螺条部１１ａに螺装されてベースプレート２１に隣接し、このベースプレート２１を下方の盛り上り１２に押し付けるようにしてこのベースプレート２１の揺動を阻止する固定状態を具現化するとしている。
【００２１】
ちなみに、柱体２は、多くの場合に、横断面形状が矩形やＨ形，Ｉ形、あるいは、丸形など任意の形状を呈する型鋼からなり、また、多くの場合に、この種の建て入れ調整装置を連繋させるためのエレクションピースを側面に張り出す態様に形成されてなるのを常態とするが、この発明による建て入れ調整装置にあっては、エレクションピースに連繋されることを実施化の上での構成要素にしていないから、図示する柱体２にあっては、このエレクションピースを設けておらず、したがって、この発明による場合には、エレクションピースを必要としない分、柱体２のコストをいたずらに高騰化させない点で有利となると言い得ることになる。
【００２２】
なお、この連結部分にあって、ベースプレート２１の孔２１ａを貫通してベースプレート２１の上方に突出する螺条部１１ａに上記のナット３が螺装されているが、このナット３は、凡そ建て入れ調整装置が利用されて柱体２への建て入れ調整が実行されている間はいわゆる弛められており、建て入れ調整が終了した後にベースプレート２１に隣接されるように螺合されて固定状態におかれる。
【００２３】
柱体２における基礎１への連結部分が上記のように形成されているとき、この発明による建て入れ調整装置は、延長ロッド４と、センターホールジャッキ５と、ブロック６と、ナット回し７とを有してなるとしている。
【００２４】
まず、延長ロッド４は、アンカーボルト１１を実質的に延長させるもので、後述するセンターホールジャッキ５によるテンションがかけられるときに所定の機械的強度を発揮できる構成とされる限りには、自由な構成とされて良いが、図示するところでは、アンカーボルト１１と同軸となるロッド状に形成されてなるとしている。
【００２５】
そして、この延長ロッド４は、下端部にアンカーボルト１１の螺条部１１ａに連結される雌螺条部４ａを有してなると共に、上端側がアンカーボルト１１の軸線方向に延在されて、センターホールジャッキ５の連繋を許容する雄螺条部４ｂとされてなるとしている。
【００２６】
つぎに、センターホールジャッキ５は、図２に示すように、後述するブロック６の上端に載置されながら図中で左側となる先端側を上下方向に挿通する延長ロッド４に連繋し、図中で右側となる後端側に内蔵されたネジジャッキの駆動で延長ロッド４の引き上げを具現化するとしている。
【００２７】
すなわち、このセンターホールジャッキ５は、図示するところでは、長方体の外観を呈するように形成されたハウジング５１の図中で左側となる先端側にピストン状に形成されて図中で上下方向に移動するリフト体５２を有してなり、このリフト体５２がネジジャッキの駆動で供給される油圧によって図中で上昇するように移動するとき、このリフト体５２に連繋されている延長ロッド４が引き上げられるとしている。
【００２８】
ところで、このセンターホールジャッキ５にあっては、上記のネジジャッキが、たとえば、ラチェットレンチなどの工具を利用する手動操作による駆動で上記のリフト体５２との間に画成されて作動油を充満させる油室Ｒに油圧を立てることを可能にしてなるもので、この実施形態では、図２に示すように、ハウジング５１の図中で右側となる後端側に収装されるピストン５３を有してなるとしている。
【００２９】
そして、このセンターホールジャッキ５にあっては、上記のピストン５３が同じく上記の後端側に収装されてハウジング５１の内周に螺合する螺条ロッド部５４に連設され、かつ、この螺条ロッド部５４が同じく上記の後端側に収装されてハウジング５１内に挿通される操作ロッド５５に連設され、さらに、この操作ロッド５５の操作端５５ａがハウジング５１の後端からハウジング５１外に突出してなるとしている。
【００３０】
上記のリフト体５２は、ケーシング５１の先端側にあってその肉厚を貫通する方向に、すなわち、前記した延長ロッド４の軸線方向に上下動可能となるように保持されてなるとしている。
【００３１】
そして、このリフト体５２は、軸芯部の透孔５２ａを有していて、この透孔５２ａ内に前記した延長ロッド４を隙間を有して、すなわち、延長ロッド４がこの透孔５２ａ内で傾倒することがあっても透孔の内周に干渉しない状態下に挿通させるとしている。
【００３２】
また、このセンターホールジャッキ５にあっては、上記のリフト体５２の下端側とケーシング５１との間に環状となる油室Ｒを画成するとしており、この環状の油室Ｒが前記したピストン５３のいわゆる受圧面側に連通するとしている。
【００３３】
それゆえ、このセンターホールジャッキ５にあっては、ラチェットレンチの利用などで作業者の手動による回動操作で操作ロッド５５の操作端５５ａを回動してネジジャッキを駆動し、ピストン５３をハウジング内で前進させて油室Ｒに油圧を立てるようにすると、リフト体５２がハウジング５１の先端側で上昇して延長ロッド４を引き上げるように機能し、それゆえ、延長ロッド４に連繋されているアンカーボルト３をベースプレート２１に対して引き上げるようにすることが可能になる。
【００３４】
なお、上記のリフト体５２と延長ロッド４とは、図１に示すように、適宜の締結手段８で連繋されてなるとし、このとき、締結手段８は、センターホールジャッキ５が駆動されて、図示するところでは、延長ロッド４を引き上げるようにするときに、この引き上げ動作が無駄なく実現されるように配慮されてなるものであれば良く、図示するところでは、球面ワッシャ８ａの介在下にナット８ｂの螺着で締結されてなるとしている。
【００３５】
一方、ブロック６は、図１に示すように、たとえば、有頭円筒状に形成されて上記したセンターホールジャッキ５を上端に載置される本体６１を有してなり、この本体６１の軸芯部にアンカーボルト１１の螺条部１１ａと延長ロッド４の雌螺条部４ａを臨在させるとしている。
【００３６】
そして、このブロック６にあっては、本体６１の下端部６１ａの内側にナット回し７をナット３の回動方向に、すなわち、ナット３と連動する回動を可能にするように収装してなるとしている。
【００３７】
そして、このとき、ナット回し７がその所定位置たる本体６１の下端部６１ａの内側でいたずらに昇降しないように、すなわち、ナット３から外れないように、上記の下端部６１ａの内周に配在された上下のストッパ６１ｂで動きが阻止されるとしている。
【００３８】
一方、このブロック６にあっては、後述するナット回し７に外部から近隣する工具９がナット３の径方向への導入操作によって連繋され、また、この工具9が水平方向に揺動するとしているから、このナット回し７に連繋された工具９の一連の動作を可能にするように開口６１cが形成されてなるとしている。
【００３９】
そして、この開口６１cについては、図示しないが、ブロック６における所定の機械的強度を低減しない限りにおいて複数箇所に設けられるとしても良く、複数箇所に設ける場合には、ブラケット６を、すなわち、本体６１をベースプレート２１上に載置するときに、開口６１ｃの位置を確認する煩わしさを排除できる上で有利となる。
【００４０】
つぎに、ナット回し７は、内側にナット３を嵌合させるように形成されるのはもちろんのこと、その外周がブロック６の下端部の内周に摺接するが如くに近隣してなり、かつ、このとき、外周が円弧状に形成されてなるとしてブロック６の内周との干渉部位を極力小さくするように配慮されている。
【００４１】
また、このナット回し７にあっては、上記したように、ブロック６たる本体６１の外部からのナット３の径方向への導入による工具９の連繋を可能にすることから、工具９の先端挿し込み部９ａの嵌合を許容する挿し込み孔７ａを周方向に、そして、多くの場合に等間隔に有してなるとしている。
【００４２】
ちなみに、工具９の先端挿し込み部９ａとナット回し７に形成される挿し込み孔７aの形状についてだが、基本的には連繋が可能とされれば良いことになるが、工具９を利用してのナット回し７の回動時にこのナット回し７がいわゆるガタつく不具合の発生を未然に阻止することを意図する場合には、工具９を介してのナット回し７のガタつきを抑制し得る嵌合状態を具現化できる形状が選択されるのが好ましい。
【００４３】
以上のように形成されたこの発明による建て入れ調整装置は、柱体２における基礎１への連結部分にあって、以下のようにして利用される。
【００４４】
すなわち、まず、アンカーボルト１１の上端部たる螺条部１１ａに延長ロッド４の下端部たる雌螺条部４ａを連結し、アンカーボルト１１を上方に延長させた態勢を具現化させる。
【００４５】
つぎに、アンカーボルト１１の上端部と延長ロッド４の下端部を軸芯部に臨在させるようにブロック６たる本体６１を延長ロッド４の上端側を介してベースプレート２１上に載置する。
【００４６】
これによって、ブロック６の上端から延長ロッド４の上端側が上方に突出するようになるから、この延長ロッド４の上端側をその先端側に挿通させるようにセンターホールジャッキ５をブロック６の上端に載置する。
【００４７】
そして、センターホールジャッキ５の上方から締結手段８によってセンターホールジャッキ５と延長ロッド４の上端側とを連繋させる、すなわち、センターホールジャッキ５に対して延長ロッド４の揺動を可能にしながら、また、センターホールジャッキ５に対して延長ロッド４の上昇を可能にするように連繋させる。
【００４８】
そして、この時点で、センターホールジャッキ５と延長ロッド４との間にいたずらなガタがないことが確認されることを条件にして、アンカーボルト１１に螺装されてベースプレート２１に接触しているナット３を緩めて、ベースプレート２１の基礎１に対する揺動を可能にする態勢にする。
【００４９】
そして、ラチェットレンチを利用するなどの手動操作でセンターホールジャッキ５を駆動することで、センターホールジャッキ５に所定の油圧を立て、延長ロッド４を引き上げるようにする。
【００５０】
その結果、延長ロッド４が引き上げられるようになることに呼応してベースプレート２１が下方に押し下げられることになり、このとき、ベースプレート２１に連設された柱体２が揺動する、すなわち、建て入れ調整されることになる。
【００５１】
上記した一連の動作および作動で柱体２が設計図通りに立設された状態になったことを確認することを条件にして、ナット回し７の回動でナット３のいわゆる締め付け作業をし、ナット３の締め付けが終了したことが確認された後に、この建て入れ調整装置の撤去を実践する。
【００５２】
ちなみに、この建て入れ調整装置の柱体２における基礎１に対する連結部分からの撤去は、締結手段８による締結解除を含めて上記したところと逆の手順を辿れば足りる。
【００５３】
以上からすれば、この発明による建て入れ調整装置にあっては、元々あるアンカーボルト１１以外に専用のアンカーボルトを要するとしないから、また、この建て入れ調整装置を構成する部材、たとえば、ブロック６を固定的にベースプレート２１に連結せず、また、センターホールジャッキ５もブロック６に固定的に連結しないとするから、これらの部材や一連の作業を不要にし、したがって、その分仮設費の増大を回避することが可能になる。
【００５４】
そして、この発明による建て入れ調整装置にあっては、アンカーボルト１１の上端部に連結されてアンカーボルト１１の延在方向たるアンカーボルト１１の上方に配在されることになるから、この建て入れ調整装置が占有する面積をアンカーボルト１１が貫通するベースプレート２１が占有する面積より小さくすることが可能になり、このことからすれば、この発明による建て入れ調整装置にあっては、建て入れ調整装置のいわゆるコンパクト化を可能にすることになる。
【００５５】
そして、センターホールジャッキ５にあって操作ロッド５５がアンカーボルト１１に対して横方向から近隣するとしているから、この操作ロッド５５をラチェットレンチなどの工具を利用して回動操作するときに、柱体２の周囲に起立することがある鉄筋に干渉する危惧がなくなり、工具の回動操作を容易にし得る点で有利となる。
【００５６】
その結果、最下段に立設される鋼鉄製の柱体２における建て入れ調整を可能にするについて作業性が良くなり、その汎用性の向上を期待するのに最適となる。
【図面の簡単な説明】
【００５７】
【図１】この発明による建て入れ調整装置を一部断面にして示す図である。
【図２】センターホールジャッキを示す縦断面図である。
【符号の説明】
【００５８】
１  フーチンなどの基礎
２  柱体
３  ナット
４  延長ロッド
４ａ  下端部たる雌螺条部
４ｂ  上端側たる雄螺条部
５  センターホールジャッキ
６  ブロック
６１ａ  下端部
７  ナット回し
９  工具
１１  アンカーボルト
１１ａ  螺条部
２１  ベースプレート
【図１】
0004787619.tif 000002
【図２】
0004787619.tif 000003